(57)【特許請求の範囲】
【請求項１】
カラオケ装置を含むカラオケシステムと、携帯端末で実行されるプログラムと、サーバ装置と、を備えたカラオケ管理システムにおいて、
カラオケシステムは、判定情報出力処理と、を実行可能とし、
判定情報出力処理は、カラオケシステムの識別情報を含んだ判定情報を出力し、
プログラムは、判定情報取得処理と、対応付け要求処理と、遠隔操作処理と、を実行可能とし、
判定情報取得処理は、判定情報出力処理で出力された判定情報を取得し、
対応付け要求処理は、判定情報取得処理で取得した判定情報中の識別情報を、少なくとも含んだ対応付け要求をサーバ装置に送信し、
遠隔操作処理は、対応付けされたカラオケシステムに対し、操作指示情報を送信可能とし、
サーバ装置は、対応付け処理を実行可能とし、
対応付け処理は、
携帯端末から受信した対応付け要求に正規アカウント情報、もしくは、ゲストアカウント情報が含まれている場合、対応付け要求に含まれる識別情報に対応するカラオケシステムと、対応付け要求を送信した携帯端末とを対応付け、
携帯端末から受信した対応付け要求に正規アカウント情報、ゲストアカウント情報のどちらも含まれていない場合、対応付け要求を送信した携帯端末に新たなゲストアカウント情報を送信し、対応付け要求に含まれる識別情報に対応するカラオケシステムと、対応付け要求を送信した携帯端末とを対応付ける
カラオケ管理システム。
【請求項２】
正規アカウント情報は、ユーザ識別情報と、パスワード情報を含み、
ゲストアカウント情報は、ゲスト識別情報を含み、パスワード情報を有さない
請求項１に記載のカラオケ管理システム。
【請求項３】
正規アカウント情報とゲストアカウント情報は、分離して識別可能な異なる体系で構成されている
請求項１または請求項２に記載のカラオケ管理システム。
【請求項４】
ゲストアカウント情報を使用して対応付けした場合の遠隔操作処理は、正規アカウント情報を使用して対応付けした場合の遠隔操作処理よりも操作機能が制限されている
請求項１から請求項３の何れか１項に記載のカラオケ管理システム。
【請求項５】
判定情報は、サーバ装置から受信した認証情報を含み、
対応付け要求は、判定情報に含まれる認証情報を含み、
サーバ装置は、対応付け要求に含まれる認証情報が適正であることを条件として対応付け処理を実行する
請求項１から請求項４の何れか１項に記載のカラオケ管理システム。
【請求項６】
カラオケ装置、プログラム、サーバ装置の何れかにおいて、カラオケシステムと対応付けられた携帯端末で行われた操作に関する情報を記録情報に記録する記録処理を実行可能とする
請求項１から請求項５の何れか１項に記載のカラオケ管理システム。
【請求項７】
サーバ装置は、ゲストアカウント情報を、当該ゲストアカウント情報に対応する記録情報が対応付けられた正規アカウント情報に変更するアカウント種別変更処理を実行可能とする
請求項６に記載のカラオケ管理システム。
【発明の詳細な説明】
【技術分野】
【０００１】
本発明は、歌唱を楽しむためのカラオケ装置、及び、カラオケ装置とネットワークで接続されたサーバ装置を含むカラオケシステムと、携帯型情報処理装置にて実行可能なプログラムを備えたカラオケ管理システムに関する。
【背景技術】
【０００２】
伴奏に合わせて歌唱を楽しむカラオケは、カラオケボックスやスナック等のナイト店において広く楽しまれている。従来、カラオケを行うためのカラオケ装置は、専用のリモコン装置を操作することで、楽曲の予約等、各種操作を行うことが可能であった。近年、スマートフォン等、個人が所有する携帯端末の高機能化に伴い、携帯端末をカラオケ装置のリモコンとして使用することが行われている。携帯端末をカラオケ装置のリモコンとして使用するには、携帯端末から発信されたコマンドを、操作対象となるカラオケ装置に送信する必要があり、事前に携帯端末と操作対象となるカラオケ装置を対応付ける必要がある。
【０００３】
特許文献１には、携帯端末をカラオケ装置のリモコンとして使用可能なカラオケシステム、携帯機器用プログラムが開示されている。このカラオケシステムでは、リモコン装置でのログイン操作と、携帯端末でのログイン操作を行うことで、携帯端末と操作対象となるカラオケ装置との対応付けが行われている。
【先行技術文献】
【特許文献】
【０００４】
【特許文献１】特開２０１３−３７１４６号公報
【発明の概要】
【発明が解決しようとする課題】
【０００５】
特許文献１に開示されるカラオケシステムでは、携帯端末を使用対象となるカラオケ装置のリモコンとして使用する場合、リモコン装置及び携帯端末の両方について、ログイン操作を行う必要がある。すなわち、ユーザは、ログインするために、例えば名前や住所などの登録要件となる事項を入力して新規にアカウントを事前取得していないと、自己の所持する携帯端末をリモコンとして使用することができなかった。アカウントを取得するには、ユーザＩＤやパスワードを決めて登録する等、ユーザにとって面倒な登録作業が必要となる。したがって、携帯端末をリモコンとして使用したいユーザであっても、そのような登録作業を行うことが障壁となり、利用をためらう者もいた。
【０００６】
本発明はこのような課題に基づくものであり、ユーザが気軽に、携帯端末を使用対象となるカラオケシステムのリモコンとして機能させることを目的としている。
【課題を解決するための手段】
【０００７】
そのため、本発明に係るカラオケ管理システムは以下の構成を採用するものである。
カラオケ装置を含むカラオケシステムと、携帯端末で実行されるプログラムと、サーバ装置と、を備えたカラオケ管理システムにおいて、
カラオケシステムは、判定情報出力処理と、を実行可能とし、
判定情報出力処理は、カラオケシステムの識別情報を含んだ判定情報を出力し、
プログラムは、判定情報取得処理と、対応付け要求処理と、遠隔操作処理と、を実行可能とし、
判定情報取得処理は、判定情報出力処理で出力された判定情報を取得し、
対応付け要求処理は、判定情報取得処理で取得した判定情報中の識別情報を、少なくとも含んだ対応付け要求をサーバ装置に送信し、
遠隔操作処理は、対応付けされたカラオケシステムに対し、操作指示情報を送信可能とし、
サーバ装置は、対応付け処理と、記録処理と、を実行可能とし、
対応付け処理は、
携帯端末から受信した対応付け要求に正規アカウント情報、もしくは、ゲストアカウント情報が含まれている場合、対応付け要求に含まれる識別情報に対応するカラオケシステムと、対応付け要求を送信した携帯端末とを対応付け、
携帯端末から受信した対応付け要求に正規アカウント情報、ゲストアカウント情報のどちらも含まれていない場合、対応付け要求を送信した携帯端末に新たなゲストアカウント情報を送信し、対応付け要求に含まれる識別情報に対応するカラオケシステムと、対応付け要求を送信した携帯端末とを対応付ける。
【０００８】
さらに本発明に係るカラオケ管理システムにおいて、
正規アカウント情報は、ユーザ識別情報と、パスワード情報を含み、
ゲストアカウント情報は、ゲスト識別情報を含み、パスワード情報を有さない。
【０００９】
さらに本発明に係るカラオケ管理システムにおいて、
正規アカウント情報とゲストアカウント情報は、分離して識別可能な異なる体系で構成されている。
【００１０】
さらに本発明に係るカラオケ管理システムにおいて、
ゲストアカウント情報を使用して対応付けした場合の遠隔操作処理は、正規アカウント情報を使用して対応付けした場合の遠隔操作処理よりも操作機能が制限されている。
【００１１】
さらに本発明に係るカラオケ管理システムにおいて、
判定情報は、サーバ装置から受信した認証情報を含み、
対応付け要求は、判定情報に含まれる認証情報を含み、
サーバ装置は、対応付け要求に含まれる認証情報が適正であることを条件として対応付け処理を実行する。
【００１２】
さらに本発明に係るカラオケ管理システムは、
カラオケ装置、プログラム、サーバ装置の何れかにおいて、カラオケシステムと対応付けられた携帯端末で行われた操作に関する情報を記録情報に記録する記録処理を実行可能とする。
【００１３】
さらに本発明に係るカラオケ管理システムにおいて、
サーバ装置は、ゲストアカウント情報を、当該ゲストアカウント情報に対応する記録情報が対応付けられた正規アカウント情報に変更するアカウント種別変更処理を実行可能とする。
【発明の効果】
【００１４】
本発明に係るカラオケ管理システムによれば、正規アカウント情報を所持する正規ユーザでなくても、ゲストユーザとして自己の所持する携帯端末と、使用対象となるカラオケシステムとを対応付けを行い、自己の所持する携帯端末を、使用対象となるカラオケシステムのリモコンとして機能させることが可能となる。ゲストユーザは、特段、登録を行う必要が無いので、正規アカウントを所持しないユーザであっても気軽に自己の所持する携帯端末を用いて遠隔操作処理を使用することが可能となる。
【００１５】
さらに本発明に係るカラオケ管理システムによれば、正規アカウント情報が、パスワード情報を含むのに対し、ゲストアカウント情報はパスワードを有さないこととしている。このような構成は、ゲストアカウント情報が、ユーザの個人情報等、事前に登録された情報を有していないことにより可能となったものであり、サーバ装置では、ゲストアカウント情報に対するユーザ認証処理の負担を抑えることが可能となる。
【００１６】
さらに本発明に係るカラオケ管理システムによれば、正規アカウント情報とゲストアカウント情報は、分離して識別可能な異なる体系で構成されており、これらアカウント情報を処理するサーバ装置では、データベース等を参照して正規アカウント情報とゲストアカウント情報を識別する必要が無く、処理の負荷軽減を図ることが可能となる。
【００１７】
さらに本発明に係るカラオケ管理システムによれば、ゲストアカウント情報を使用して対応付けした場合の遠隔操作処理は、正規アカウント情報を使用して対応付けした場合の遠隔操作処理よりも制限されているため、ゲストユーザに対し、正規ユーザへの登録変更を誘因することが可能となる。
【００１８】
さらに本発明に係るカラオケ管理システムによれば、対応付け要求に、サーバ装置から送信された認証情報を含めることで、カラオケシステムと携帯端末を対応付ける際のセキュリティ向上を図ることが可能となる。
【００１９】
さらに本発明に係るカラオケ管理システムによれば、ゲストアカウント情報を正規アカウント情報に変更するアカウント種別変更処理を実行可能としている。アカウント種別変更処理では、ゲストアカウント情報に対応する記録情報を、正規アカウント情報に対応付けるため、ユーザは、過去の使用により形成された記録情報を使用したサービスを受けることが可能となる。
【図面の簡単な説明】
【００２０】
【図１】カラオケシステムの構成を示す図
【図２】携帯端末の構成を示す図
【図３】カラオケ管理システムにおける認証テーブル更新処理を示すフロー図
【図４】カラオケ管理システムにおける認証テーブル更新処理を示す模式図
【図５】カラオケ管理システムにおける携帯端末側の処理を示すフロー図
【図６】カラオケ管理システムにおけるサーバ装置側の処理を示すフロー図
【図７】カラオケ管理システムにおける対応付け処理を示す模式図（１）
【図８】カラオケ管理システムにおける対応付け処理を示す模式図（２）
【図９】カラオケ管理システムにおける対応付け処理を示す模式図（３）
【図１０】リモコン装置のトップ画面を示す図
【図１１】リモコン装置における判定情報の表示画面を示す図
【図１２】正規ユーザ情報のデータ構成を示す図
【図１３】ゲストユーザ情報のデータ構成を示す図
【図１４】携帯端末に表示された楽曲検索画面（履歴検索）を示す図
【図１５】携帯端末に表示された楽曲確認画面を示す図
【図１６】カラオケ管理システムにおける遠隔操作処理を示す模式図
【図１７】携帯端末に表示されたアカウント登録画面を示す図
【図１８】サーバ装置５で実行するアカウント種別変更処理を示すフロー図
【発明を実施するための形態】
【００２１】
図１は、本発明の実施形態に係るカラオケシステムの構成を示す図である。本実施形態におけるカラオケシステムは、カラオケ装置２（コマンダ）と、リモコン装置１を含んで構成されている。カラオケ装置２とリモコン装置１は、ＬＡＮ１００及びアクセスポイント１１０を利用してネットワークを形成するように接続されている。
【００２２】
カラオケボックスなどの店舗に設置されるカラオケ装置２は、楽曲を演奏するための演奏手段として音響制御部２５を備えている。また、カラオケ装置２は、ユーザからの各種入力を受け付けるスイッチなどで構成されるカラオケ装置２側の入力手段としての操作部２１を備える。カラオケ装置２は、操作部２１からの入力を解釈して制御部３０に伝達する操作処理部２２を備える。また、カラオケ装置２は、各種情報を記憶するカラオケ装置側記憶手段としてのＨＤＤ３２（ハードディスク）を備える。カラオケ装置２は、ＬＡＮ１００に接続してネットワークに加入するためのカラオケ装置側通信手段としてのＬＡＮ通信部２４を備えている。
【００２３】
また、カラオケ装置２は、モニタ４１に対して歌詞映像、背景映像を表示させる映像再生手段を備える。この映像再生手段は、映像情報に基づいて映像を再生する映像再生部２９、再生する映像を一時的に蓄積するビデオＲＡＭ２８、再生された映像に対する歌詞テロップの重畳表示、映像効果等を実行する映像制御部３１を備えている。
【００２４】
さらに、このカラオケ装置２では、外部に接続されたモニタ４１以外に、タッチパネルモニタ３３に対しても各種情報を表示することを可能としている。タッチパネルモニタ３３は映像制御部３１から入力された映像情報を表示する表示部３３ａと、タッチ入力された位置を操作処理部２２に出力するタッチパネル３３ｂが重畳されて構成されている。また、カラオケ装置２に対する各種操作は、カラオケ装置２のフロントパネル等に設けられた操作部２１を介して行うことも可能となっている。
【００２５】
本実施形態のタッチパネルモニタ３３は、リモコン装置１の操作手段であるタッチパネルモニタ１１と同様の操作手段として機能することも可能としている。ユーザはタッチパネルモニタ３３から楽曲を選択して、直接カラオケ装置２に予約をさせるなど、リモコン装置１と同等の操作手段として機能することが可能である。
【００２６】
さらに、カラオケ装置２は、各構成を統括して制御するための制御手段として、ＣＰＵにて構成される制御部３０、各種プログラムを実行するにあたって必要となる情報を一時記憶するためのメモリ２７を備えている。
【００２７】
このような構成にてカラオケ装置２は、各種処理を実行することとなるが、カラオケ装置２の主な機能として、楽曲指定処理、再生処理などを実行可能としている。楽曲指定処理は、ユーザからの指定に基づいて楽曲を指定、予約するための処理であってリモコン装置１と連携して実行される。リモコン装置１から送信された予約情報をメモリ２７に記憶する予約テーブルに登録する。再生処理は、予約された楽曲を再生させる処理であって、演奏処理と歌詞再生処理とが同期して実行される処理である。
【００２８】
演奏処理は、楽曲データに含まれる演奏データを音響制御部２５にて演奏させる処理である。音響制御部２５にて演奏された楽曲は、歌唱用マイク４４ａ、４４ｂから入力される歌唱音声と一緒にスピーカ４２から放音される。歌詞再生処理は、楽曲データに含まれる歌詞データをモニタ４１に表示させることで歌唱補助を行う処理である。この歌詞再生処理で表示される歌詞に、背景映像を重畳させて表示させる背景映像表示処理を実行することとしてもよい。
【００２９】
一方、リモコン装置１は、予約情報などカラオケ装置２に対して各種指示を送信するとともに、カラオケ装置２あるいはインターネット上に接続されたサーバ装置５から各種情報を受信する。本実施形態では、ユーザインターフェイスとしてボタンなどの操作部１７と、タッチパネルモニタ１１を備えている。タッチパネルモニタ１１は、表示部１１ａとタッチパネル１１ｂを有して構成され、表示部１１ａに各種インターフェイスを表示するとともに、ユーザからのタッチ入力を受付可能としている。
【００３０】
さらにリモコン装置１は、楽曲検索に必要とされるデータベース、各種プログラム、並びに、プログラム実行に伴って発生する各種情報を記憶するリモコン側記憶手段としてメモリ１４、そして、これら構成を統括して制御するためのリモコン側制御手段を備えて構成される。リモコン側制御手段には、ＣＰＵにて構成される制御部１５、表示部１１ａに対して表示する映像を形成する映像制御部１３、表示する映像情報を一時的に蓄えるビデオＲＡＭ１２、操作部１７からの入力を解釈して制御部１５に伝達する操作処理部１８が含まれている。
【００３１】
リモコン装置１は、無線ＬＡＮ通信部１６によって、アクセスポイント１１０と無線接続されることで、ＬＡＮ１００によって構成されるネットワークに接続される。なお、各リモコン装置１は、特定のカラオケ装置２に対して事前に対応付けされている。リモコン装置１から出力される各種指示は、対応付けされたカラオケ装置２にて受信されることとなる。
【００３２】
次に、本発明においてユーザが所持する携帯端末６について説明する。図２は、本発明の実施形態に係る携帯端末６の構成を示す図である。この携帯端末６としては、スマートフォン、タブレット端末、携帯電話等を使用することが可能である。この携帯端末６に、本発明に係るプログラム（アプリ）をインストールし、プログラム上において対応付け処理を実行することで、携帯端末６をカラオケ装置２のリモコンとして使用することが可能となる。
【００３３】
本実施形態の携帯端末６は、制御部６１、ＲＡＭ６２、記憶部６３、画像処理部６４、音響処理部６６を含んで構成された制御手段を有している。記憶部６３には、ハードディスク、ＳＳＤ等の不揮発性の記憶手段を採用することが可能である。この記憶部６３には、本実施形態における各種処理を実行可能なプログラム、そして、当該プログラムで使用する各種データが記憶される。
【００３４】
制御部６１は、ＣＰＵ等、携帯端末６全体を統括して制御する手段であり、記憶部６３に記憶されたプログラム、データに基づいて各種制御を実行する。ＲＡＭ６２には、制御部６１の制御によって生成されたデータを一時的に格納する。
【００３５】
音響処理部６６は、携帯端末６の音響関係の入出力を行う手段である。制御部６１の制御によりスピーカ６７ａに放音させる手段である。また、音響処理部６６は、マイクロホン６７ｂと接続され、マイクロホン６７ｂから周囲の音声を取り込み可能としている。
【００３６】
タッチパネル表示部６８は、画像を表示する表示部６８ｂとその表面あるいは裏面に配設されるタッチパネル６８ａを有して構成されている。タッチパネル６８ａには、静電容量方式などユーザのタッチ位置を認識可能とする各種タイプを採用することが可能である。制御部６１は、表示部６８ｂに表示を行うとともに、タッチパネル６８ａからのタッチ入力にて、表示させている画像中のどの部分にタッチ入力されたかを判定することが可能である。
【００３７】
画像処理部６４は、携帯端末６の画像関係の入出力を行う手段である。画像処理部６４は、制御部６１で形成された画像情報を表示部６８ｂに表示出力する。また画像処理部６４は、携帯端末６の前面（タッチパネル表示部６８側）に配置されたフロントカメラ６５Ｆ、もしくは、携帯端末６の背面に配置されたリアカメラ６５Ｒから画像を取り込む機能を有する。
【００３８】
通信部６９は、携帯無線網を介した無線通信を行うことが可能であり、無線基地局と無線通信することで、通話、あるいは、インターネットを使用した通信を行うことが可能である。携帯端末６はインターネット上のサーバから各種処理を実行可能なプログラムを含む各種プログラム（「アプリ」とも呼ばれる）をダウンロードすることが可能である。なお、プログラムは、通信回線を利用した形態以外に、外部メモリ接続端子７２に接続された外部メモリＥＸからインストールすることとしてもよい。通信部６９には、無線ＬＡＮ通信手段、あるいは、近距離通信手段（赤外線通信、Ｂｌｕｅｔｏｏｔｈ（商標）など）の近距離通信手段をさらに設けることとしてもよい。
【００３９】
本実施形態の携帯端末６は、入力手段としてタッチパネル６８ａ以外に入力スイッチ７０を備えて構成されている。この入力スイッチ７０には、電源スイッチ、音量調整スイッチ、実行するプログラムによって入力用途が変更されるスイッチ等、各種スイッチを設けることが可能である。
【００４０】
本実施形態の携帯端末６は、カラオケ業者が提供するプログラムをインストール、実行することで、携帯端末６と操作対象となるカラオケ装置２とを対応付け、携帯端末６からカラオケ装置２に対して楽曲の予約コマンド等、各種コマンド（本発明における「操作指示情報」）を送信することを可能としている。
【００４１】
図１で説明したカラオケ店舗に設置されるカラオケシステムにおいて、カラオケ店舗に来店したユーザは、自己の所持する携帯端末６を使用対象となるカラオケシステムのリモコンとして機能させることを可能としている。そのため、本実施形態のカラオケシステムは、ユーザが所持する携帯端末６と、使用対象となるカラオケシステムを対応付ける対応付け処理を行う。従来、このような対応付け処理は、ユーザが使用対象となるカラオケシステムにログインするとともに、同じアカウントを使用して携帯端末６でログインすることで行われていた。カラオケシステムを管理するサーバ装置５は、携帯端末６から送信された予約情報を、携帯端末６と同じアカウントでログインしているカラオケシステムに転送することで、携帯端末６は、カラオケシステムに対する遠隔操作処理を可能としている。本実施形態のカラオケ管理システムでは、カラオケシステム、及び、携帯端末６の両方でログインする必要が無く、携帯端末６においてカラオケシステムで表示する２次元バーコードを読み取る簡単な操作で、対応付けを行う事が可能である。また、アカウントを有していないユーザについても、携帯端末６を使用した遠隔操作処理を可能としている。
【００４２】
では、携帯端末６をカラオケ装置２のリモコンとして機能させるための各種処理について説明を行う。図３には、カラオケ管理システムにおける認証テーブル更新処理を示すフロー図が示されている。また、図４には、認証テーブル更新処理を示す模式図が示されている。本実施形態では、サーバ装置５で生成した認証情報を使用することとしている。カラオケ装置２は、認証情報要求のタイミングであると判定した場合（Ｓ１０１：Ｙｅｓ）、サーバ装置５に対してカラオケ装置２に個別に割り当てられているカラオケ装置ＩＤを含む認証情報要求をサーバ装置５に送信する認証情報要求処理（Ｓ１０２）を実行する。図４の例では、リモコン装置１からの指示に基づいて、認証情報要求が行われている。リモコン装置１からの指示（図４の第１の丸）に基づいて、カラオケ装置２は、サーバ装置５に対して、自己のカラオケ装置ＩＤ（カラオケＡ）を含む認証情報要求を送信する（図４の第２の丸）。
【００４３】
認証情報要求のタイミングは、カラオケシステム（リモコン装置１あるいはカラオケ装置２）に対する操作に基づいて実行することが考えられる。例えば、カラオケボックスでは、顧客の退店後、従業員がカラオケシステムに対する認証情報要求操作を行うことが考えられる。このような形態では、顧客の使用後、認証情報が変更されるため、従前に使用していた顧客の携帯端末６は、そのリモコン機能が使用できない状態となる。したがって、退店した顧客によるリモコン操作を無効とし、カラオケ装置２に対する不適切な遠隔操作を無効とすることが可能となる。認証情報要求のタイミングは、このようにユーザの操作による形態のみならず、所定時間毎に自動で行う等、適宜形態を採用することが可能である。
【００４４】
サーバ装置５は、認証情報要求を受信した後、認証情報要求に含まれているカラオケ装置ＩＤ（カラオケ装置Ａ）に対応する認証情報を生成する（Ｓ２０１）。そして、サーバ装置５は、新たに生成した認証情報に基づいて、記憶部５１に記憶している認証テーブルを更新する（Ｓ２０２）。図４の場合、従前、カラオケ装置Ａに対応して認証情報Ａ１を記憶していたが、サーバ装置５は、今回の認証情報要求によって認証情報Ａ２を新たに生成し、カラオケ装置Ａに対応付けて記憶する。
【００４５】
サーバ装置５は、認証情報要求を送信してきたカラオケ装置２に対して、新たに生成した認証情報（認証情報Ａ２）を送信する（Ｓ２０３、図４の第３の丸）。カラオケシステムは、受信した認証情報を使用して判定情報出力処理（Ｓ１０４）を実行する。図７には、認証テーブル更新処理の一部が模式図にて示されている。サーバ装置５は、認証情報要求のあったカラオケ装置２に対して認証情報（認証情報Ａ２）を送信する。認証情報を受信したカラオケ装置２は、当該カラオケ装置２に対応付けられているリモコン装置１に認証情報を転送する（図４の第４の丸）。リモコン装置１は、受信した認証情報に基づいて判定情報出力処理（Ｓ１０４）を実行する。
【００４６】
本実施形態の判定情報出力処理（Ｓ１０４）は、サーバ装置５から受信した認証情報と、カラオケ装置２の識別情報であるカラオケ装置ＩＤを含んだ判定情報をリモコン装置１のタッチパネルモニタ１１に表示することとしている。携帯端末６では、表示出力された判定情報をリアカメラ６５Ｒにて読み取ることで、判定情報を取得する判定情報取得処理を実行する。なお、判定情報出力処理は、このように判定情報を表示出力する形態のみならず、カラオケシステムから携帯端末６に無線送信する形態、あるいは、判定情報を音響信号もしくは映像信号に変換し、リモコン装置１のスピーカ８２もしくはタッチパネルモニタから音響出力もしくは映像出力し、携帯端末６のマイクロホン６７ｂもしくはカメラ６５Ｒで受信する形態等、各種形態に変更することが可能である。
【００４７】
図１０は、リモコン装置１のトップ画面、すなわち、リモコン装置１を起動した直後の画面を示す図である。本実施形態では、リモコン装置１のタッチパネルモニタ１１に表示を行うことで、リモコン装置１を操作するユーザに対して各種情報が提供される。
【００４８】
本実施形態のカラオケシステムでは、各リモコン装置１のタッチパネルモニタ１１からアカウント情報（後述するユーザ識別情報やパスワード）を入力することで、ログインすることが可能である。特に、本実施形態のカラオケシステムでは、複数のユーザをユーザ毎にログインさせることを可能としており、ログインした各ユーザ（ログインユーザ）に関する情報は画面上方に常時表示される。本実施形態においては、ログインした各ユーザに関する情報として、各ユーザの分身像（アバター）を表示するためのログインユーザ欄１０３が設けられている。なお、分身像としては、人、キャラクターを模した像の他、図形や記号など各種形態を採用することができる。
【００４９】
また、アカウントを有していないユーザのためのゲストアイコン１０２、ユーザを切り替えるためのユーザ切替スイッチ１０１が表示されている。ログインした正規ユーザは、ログインユーザ欄１０３に表示される分身像を選択、あるいは、ユーザ切替スイッチ１０１を操作することで、正規ユーザ情報を利用した各種サービスを受けることが可能となる。また、アカウントを有していないユーザは、ゲストアイコン１０２を操作することで、選曲など一般的なサービスを受けることが可能となっている。なお、ユーザの切替の際には、パスワードなどを使用した認証を行うこととしてもよいが、認証を行うことなく簡易に切り替えることとしてもよい。
【００５０】
このリモコン装置１のトップ画面には、ユーザが所持する携帯端末６と、使用対象となるカラオケシステムを対応付けるための判定情報表示ボタン１０４が設けられている。ユーザは、自己が所持する携帯端末６を、カラオケシステムのリモコンとして使用したい場合、この判定情報表示ボタン１０４を操作することで、タッチパネルモニタ１１に２次元バーコードに画像化された判定情報を表示させる。図１１には、リモコン装置１における判定情報の表示画面が示されている。タッチパネルモニタ１１には、２次元バーコードに画像化された判定情報を有する判定情報表示画面１０５が表示されている。この２次元バーコードは、サーバ装置５から受信した認証情報と、使用対象となるカラオケ装置２のカラオケ装置ＩＤを含んだ判定情報が画像化されている。ユーザが、携帯端末６のリアカメラ６５Ｒでこの２次元バーコードを撮影することで、携帯端末６に判定情報を取得させる判定情報取得処理が実行される。
【００５１】
図５には、判定情報取得処理以降の携帯端末６の処理を示すフロー図が示されている。図６には、図５の携帯端末６の処理に呼応して実行されるサーバ装置５の処理を示すフロー図が示されている。また、図７〜図９には、カラオケ管理システムにおける認証情報の発行以降の処理を示す模式図が示されている。携帯端末６は、２次元バーコードを撮影することで判定情報を取得する（Ｓ３０１：Ｙｅｓ）。携帯端末６は、撮影した２次元バーコードをデコードし、判定情報に含まれる認証情報と、カラオケ装置ＩＤを抽出する（Ｓ３０２）。本実施形態では、（１）ユーザが正規アカウントを所持している場合、（２）ユーザがゲストアカウントを所持している場合、（３）ユーザが正規アカウントもゲストアカウントも所持していない場合、のそれぞれについて、対応付け処理を行うことが可能である。それぞれの場合の対応付け処理について説明を行う。
【００５２】
（１）ユーザが正規アカウントを所持している場合
ユーザが正規アカウントを取得している場合、取得している正規アカウントを使用してログインし、正規ユーザ情報を使用した遠隔操作処理を行うことが可能である。この場合（Ｓ３０３：Ｙｅｓ）、判定情報を取得（Ｓ３０１：Ｙｅｓ、図７の第１の丸）した携帯端末６は、サーバ装置５に対して、Ｓ３０２にて抽出した認証情報と、カラオケ装置ＩＤ、そして、正規アカウント情報を含んだ正規ログイン要求を、サーバ装置５に対して送信する（Ｓ３０４、図７の第２の丸）。なお、本実施形態における正規アカウント情報は、正規ユーザを識別するための正規ユーザＩＤと、パスワードを含んで構成されている。正規ユーザＩＤは、ユーザが所持するメールアドレス等を使用することが可能である。なお、正規ログイン要求に含めて送信される正規アカウント情報は、携帯端末６のタッチパネル表示部６８を使用して、ユーザが入力する、あるいは、予め記憶部６３に記憶させておいたものを自動送信する、どちらの形態としてもよい。
【００５３】
正規ログイン要求を受信（Ｓ４０２：Ｙｅｓ）したサーバ装置５は、まず、正規ログイン要求に含まれる正規アカウント情報（正規ユーザＩＤとパスワード）と、記憶部５１に記憶している正規ユーザ情報中の正規アカウント情報を対比することでユーザ認証を行う（Ｓ４０３）。認証ができた場合（Ｓ４０３：Ｙｅｓ）には、携帯端末６に対して正規ユーザ情報を送信する（Ｓ４０５）。携帯端末６では、正規ユーザ情報を受信すること（Ｓ３０５）、すなわちログインに成功することで、正規ユーザ情報を使用した各種サービスを使用することが可能となる。一方、認証ができなかった場合（Ｓ４０４：Ｎｏ）、サーバ装置５は、ログイン要求を送信してきた携帯端末６に認証エラー情報を送信する。認証エラー情報を受信した携帯端末６は、ログインできなかったことを示すメッセージ表示を行う。
【００５４】
図１２には、ログインした正規ユーザに各種サービスを提供するため、サーバ装置５に正規ユーザ毎に記憶している正規ユーザ情報のデータ構成が示されている。なお、本発明では、この正規ユーザ情報、及び、後で説明するゲストユーザ情報の両方について、記録情報と呼んでいる。これら正規ユーザ情報、ゲストユーザ情報は、ユーザの利用に応じて書き換えられることになるが、この書き換えを、本発明では記録処理と呼んでいる。本実施形態では、正規ユーザ情報として、正規ユーザＩＤとパスワードで構成された正規アカウント情報の他、個人情報、マイうたテーブル、マイアーティストテーブルといった、正規ユーザに関する各種情報を含んで構成される。正規ユーザ情報は、サーバ装置５の記憶部５１に予め記憶されている。個人情報には、正規ユーザ名（実際の名前に限ったものでなく、ニックネームであってもよい）、性別、年齢、うた年齢、居住地、趣味などを含んで構成される。
【００５５】
マイうたテーブルは、正規ユーザによって登録された楽曲を記憶するテーブルであって、楽曲識別情報、音程調整値、過去の歌唱採点情報（最高点、もしくは、過去複数回のもの）などを含んで構成されている。正規ユーザは、このマイうたテーブルに基づいて、過去に登録したお気に入りの楽曲を呼び出して予約、演奏することが可能となる。その際、登録した音程調整値を利用することで、自分の歌唱にあった音程で演奏（再生）を行うこともできる。
【００５６】
マイアーティストテーブルは、正規ユーザによって登録されたアーティスト（歌手）を記憶するテーブルであって、歌手識別情報を含んで構成されている。正規ユーザは、このマイアーティストテーブルに基づいて、登録したお気に入りのアーティストの楽曲（持ち歌、あるいは、関連楽曲）を呼び出して予約、演奏することが可能となる。
【００５７】
履歴テーブルは、正規ユーザが過去に演奏した楽曲に関する各種情報を記録した情報であって、本実施形態では、過去に演奏した（当該正規ユーザが予約、演奏した）楽曲について、楽曲の楽曲識別情報、演奏した日時を示す歌唱日時、採点情報などを含んで構成されている。正規ユーザは、この履歴テーブルに基づいて、過去に演奏した楽曲を呼び出して歌唱することができる。
【００５８】
さらにサーバ装置５では、携帯端末６とカラオケシステムを対応付けるための認証を行う（Ｓ４１２）。この認証は、ログイン要求に含まれる認証情報と、サーバ装置５で発行した認証情報を対比することで行われる。図７の模式図では、ログイン要求に含まれているカラオケ装置ＩＤ（カラオケ装置Ａ）と認証情報（認証情報Ａ２）が、認証テーブル上のものと一致していることで認証を判定する。認証できた場合（Ｓ４１３：Ｙｅｓ）には、サーバ装置５は、正規ユーザＩＤ（正規ユーザＡ）とカラオケ装置ＩＤ（カラオケ装置Ａ）とを対応付けて、記憶部５１に記憶する対応付けテーブルに登録する（Ｓ４１４）。
【００５９】
サーバ装置５は、この対応付けテーブルを使用して、正規ユーザＩＤに対応するカラオケ装置２を識別することが可能となる。対応付け処理の完了後、対応付けられたカラオケ装置２のリモコンとして機能することが可能となる。図１４には、携帯端末６のタッチパネル表示部６８に表示される楽曲検索画面が示されている。この楽曲検索画面は、正規ユーザ情報に含まれる履歴テーブルを使用して楽曲検索を行う画面であり、履歴表示欄６００には、正規ユーザが過去に予約した楽曲について、楽曲名と歌手名が表示されている。履歴表示欄６００に表示されている楽曲を選択することで、正規ユーザは過去に予約した楽曲を再度、予約することが可能である。
【００６０】
図１５には、図１４の楽曲検索画面等を使用して、１の楽曲が選択された場合に遷移する楽曲確認画面が示されている。楽曲確認画面は、ユーザにより指定された楽曲の詳細を示す画面であり、ユーザは楽曲確認画面にて楽曲を予約することが可能である。楽曲確認画面には、歌手名、曲名、歌い出し、楽曲に関するサムネイル画像といった楽曲関連情報６０１の他、キー設定、曲タイプ設定、投稿機能設定等、楽曲設定情報６０２が表示される。ユーザは、予約ボタン６０３を操作することで、表示されている楽曲を対応付けられたカラオケ装置２に予約することが可能となる。
【００６１】
このように、正規アカウントでログインした場合、携帯端末６では、サーバ装置５から受信した正規ユーザ情報を使用した各種処理を実行することが可能である。図１４では、履歴テーブルを使用した楽曲検索について説明したが、この他、マイうたテーブルに登録した楽曲を読み出して楽曲を予約する他、マイアーティストテーブルに登録した歌手に対応する楽曲を読み出して予約することが可能である。
【００６２】
なお、携帯端末６において使用するユーザインターフェイスは、使用対象となるカラオケシステムの機種に対応したものを使用することが好ましい。カラオケシステムの機種の違いにより、使用可能となる機能にも違いが生じる場合がある。このようなユーザインターフェイスの変更は、携帯端末６においてカラオケシステムの機種情報を取得することで可能となる。カラオケシステムの機種情報は、カラオケシステムから取得する判定情報に含める形態の他、サーバ装置５において、カラオケ装置ＩＤに対応付けて機種情報を管理し、ログイン要求に含まれる識別情報に対応するカラオケシステムの機種情報を携帯端末６に送信する形態などが考えられる。これは、後で説明するゲストアカウントを使用した遠隔操作処理についても同様である。
【００６３】
このように、正規アカウントでログインすることで、携帯端末６を使用した遠隔操作処理が可能となる。図１６は、本実施形態のカラオケ管理システムにおける遠隔操作処理を示す模式図である。携帯端末６では、楽曲確認画面上、予約ボタン６０３をタッチ操作する等の行為により、コマンド入力があったことを判定した場合（Ｓ３０７：Ｙｅｓ）、サーバ装置５に対して送信コマンド情報を送信する（Ｓ３０８、図１６の第１の丸）。送信コマンド情報には、コマンド入力に対応するコマンド（コマンドＡ）と、ログインの際、使用した正規ユーザＩＤ（正規ユーザＡ）が含まれている。
【００６４】
サーバ装置５は、対応付けテーブルに基づいて転送処理を実行する。携帯端末６から送信コマンド情報を受信した場合（Ｓ４１７：Ｙｅｓ）、サーバ装置５は、対応付けテーブルを参照して転送対象となるカラオケ装置２を検索し、転送コマンド情報を送信する（Ｓ４１８、図１６の第２の丸）。転送コマンド情報には、送信コマンド情報内のコマンド（コマンドＡ）と、宛先としてのカラオケ装置ＩＤ（カラオケ装置Ａ）と、コマンドを入力した正規ユーザの正規ユーザＩＤ（正規ユーザＡ）が含まれている。転送コマンド情報を受信したカラオケ装置２（カラオケ装置Ａ）は、転送コマンド情報に含まれるコマンド（コマンドＡ）に従って処理を実行する。
【００６５】
携帯端末６を使用した遠隔操作処理（Ｓ３０７、Ｓ３０８）は、携帯端末６において終了指示（ログアウト、あるいは、対応付け解除の指示）が入力される（Ｓ３０６：Ｙｅｓ）まで、繰り返し実行される。終了指示が入力された場合（Ｓ３０６：Ｙｅｓ）、携帯端末６は、サーバ装置５に対応付け解除指示を送信する（Ｓ３１７）。対応付け解除指示を受信（Ｓ４１５：Ｙｅｓ）したサーバ装置５は、対応付けテーブルから該当する項目（カラオケ装置ＩＤとユーザＩＤの対）を削除する（Ｓ４１６）。
【００６６】
（２）ユーザがゲストアカウントを所持している場合
ユーザがゲストアカウントを取得している場合、事前に取得したゲストアカウントを使用してログインし、ゲストユーザ情報を使用した遠隔操作処理を行うことが可能である。この場合（Ｓ３０９：Ｙｅｓ）、判定情報を取得（Ｓ３０１：Ｙｅｓ、図８の第１の丸）した携帯端末６は、サーバ装置５に対して、Ｓ３０２にて抽出した認証情報と、カラオケ装置ＩＤ、そして、ゲストアカウント情報を含んだゲストログイン要求を、サーバ装置５に対して送信する（Ｓ３１０、図８の第２の丸）。なお、本実施形態におけるゲストアカウント情報は、ゲストユーザを識別するためのゲストユーザＩＤを有して構成され、正規アカウント情報と異なり、パスワードを含んでいない。なお、ゲストアカウント情報にパスワードを含ませ、サーバ装置のユーザ認証に使用することも可能である。
【００６７】
このゲストユーザＩＤは、正規ユーザＩＤとは、異なる体系で構成されることが好ましい。例えば、正規ユーザＩＤをメールアドレスとした場合、ゲストユーザＩＤは、１０桁の任意の英数字で構成する等の形態が考えられる。このように正規ユーザＩＤと、ゲストユーザＩＤを分離して識別可能な異なる体系とすることで、サーバ装置５では、受信した場合、どちらの体系に属するかを識別し、データベース等を参照することなく、正規ログイン要求、ゲストログイン要求のどちらであるかを判別することが可能となる。なお、ゲストアカウント情報は、ユーザに対して提示してもよいが、携帯端末６の記憶部６３に記憶させた状態で使用し、ユーザに提示しない形態としてもよい。
【００６８】
図１３には、ログインしたゲストユーザに各種サービスを提供するため、サーバ装置５にゲストユーザ毎に記憶しているゲストユーザ情報のデータ構成が示されている。本実施形態のゲストユーザ情報は、図１２で説明した正規ユーザ情報と異なり、個人情報、マイうたテーブル、マイアーティストテーブルを有しておらず、履歴テーブルを有して構成されている。このようにゲストユーザ情報は、ユーザに対して登録させる必要の無い反面、使用できるサービスも限られている。履歴テーブルについては、正規ユーザ情報のものと同じであるため、その説明は省略する。
【００６９】
ゲストログイン要求を受信（Ｓ４０６：Ｙｅｓ）したサーバ装置５は、まず、ゲストログイン要求に含まれるゲストアカウント情報（ゲストユーザＩＤ）と、記憶部５１に記憶しているゲストユーザ情報中のゲストアカウント情報（ゲストユーザＩＤ）を対比することでユーザ認証を行う（Ｓ４０７）。認証ができた場合（Ｓ４０８：Ｙｅｓ）には、携帯端末６に対してゲストユーザ情報を送信する（Ｓ４０９）。携帯端末６では、ゲストユーザ情報を受信すること（Ｓ３１１）、すなわちログインに成功することで、ゲストユーザ情報を使用した各種サービスを使用することが可能となる。一方、認証ができなかった場合（Ｓ４０８：Ｎｏ）、サーバ装置５は、ゲストログイン要求を送信してきた携帯端末６に認証エラー情報を送信する。認証エラー情報を受信した携帯端末６は、ログインできなかったことを示すメッセージ表示を行う。
【００７０】
さらにサーバ装置５では、携帯端末６とカラオケシステムを対応付けるための認証を行う（Ｓ４１２）。この認証は、ゲストログイン要求に含まれる認証情報と、サーバ装置５で発行した認証情報を対比することで行われる。図８の模式図では、ログイン要求に含まれているカラオケ装置ＩＤ（カラオケ装置Ａ）と認証情報（認証情報Ａ２）が、認証テーブル上のものと一致していることで認証を判定する。認証できた場合（Ｓ４１３：Ｙｅｓ）には、サーバ装置５は、ゲストユーザＩＤ（ユーザＧ）とカラオケ装置ＩＤ（カラオケ装置Ａ）とを対応付けて、記憶部５１に記憶する対応付けテーブルに登録する（Ｓ４１４）。
【００７１】
対応付け処理の完了後、正規ユーザの場合と同様、対応付けテーブルを使用した遠隔操作処理（Ｓ３１３、Ｓ３１４）が実行される。携帯端末６から送信（Ｓ３１４）された送信コマンド情報は、サーバ装置５において、対応付けテーブルを参照し、転送コマンド情報として、携帯端末６の使用対象となるカラオケ装置２へと転送される。この遠隔操作処理は、携帯端末６において終了指示（ログアウト、あるいは、対応付け解除の指示）が入力される（Ｓ３１２：Ｙｅｓ）まで、繰り返し実行される。
【００７２】
このゲストユーザに対する遠隔操作処理では、正規ユーザに対するものと異なり、利用できる機能が限られている。例えば、図１３で説明したように、本実施形態のゲストユーザ情報は、正規ユーザ情報と異なり、履歴テーブルは有するものの、個人情報、マイうたテーブル、マイアーティストテーブルを有していない。そのため、ゲストユーザに対する遠隔操作処理では、図１４で説明した履歴テーブルを使用した楽曲検索は行うことができるものの、他の情報を使用した機能を使用することができない。このようにゲストユーザによるログインでは、遠隔操作処理を気軽に利用できる反面、利用できる機能が制限されている。
【００７３】
（３）ユーザが正規アカウントもゲストアカウントも所持していない場合
ユーザが正規アカウント、ゲストアカウントのどちらも取得していない場合、本実施形態のサーバ装置２は、ログイン要求を行ったユーザに対して、新たにゲストユーザアカウントを発行することとしている。ユーザは新たに発行されたゲストアカウントでログインすることで、遠隔操作処理を行うことが可能となる。この場合（Ｓ３０９：Ｎｏ）、判定情報を取得（Ｓ３０１：Ｙｅｓ、図９の第１の丸）した携帯端末６は、サーバ装置５に対して、Ｓ３０２にて抽出した認証情報と、カラオケ装置ＩＤを含んだ新規ログイン要求を、サーバ装置５に対して送信する（Ｓ３１５、図９の第２の丸）。
【００７４】
新規ログイン要求を受信（Ｓ４０６：Ｎｏ）したサーバ装置５は、新たなゲストアカウント情報とゲストユーザ情報を生成する（Ｓ４１１）。そして、生成したゲストアカウント情報とゲストユーザ情報を、新規ログイン要求を行った携帯端末６に送信する（Ｓ４１１、図９の第３の丸）。携帯端末６では、受信したゲストユーザ情報を使用した遠隔操作処理を行うことが可能である。また、受信したゲストアカウント情報は、次回、遠隔操作処理を行うため、記憶部６３に記憶することで保管される。
【００７５】
そして、サーバ装置５は、携帯端末６とカラオケシステムを対応付けるための認証を行う（Ｓ４１２）。この認証は、新規ログイン要求に含まれる認証情報と、サーバ装置５で発行した認証情報を対比することで行われる。図９の模式図では、ログイン要求に含まれているカラオケ装置ＩＤ（カラオケ装置Ａ）と認証情報（認証情報Ａ２）が、認証テーブル上のものと一致していることで認証を判定する。認証できた場合（Ｓ４１３：Ｙｅｓ）には、サーバ装置５は、ゲストユーザＩＤ（ユーザＨ）とカラオケ装置ＩＤ（カラオケ装置Ａ）とを対応付けて、記憶部５１に記憶する対応付けテーブルに登録する（Ｓ４１４）。以降の処理は、ゲストログイン要求を行った場合と同様である。
【００７６】
このように、本実施形態では、ユーザが、正規アカウント、ゲストアカウントのどちらも有していない場合、サーバ装置２側で新たなゲストアカウントを発行することで、ユーザは、使用するアカウントＩＤやパスワードを設定するために、名前や住所などの登録要件となる事項を入力して新規会員になる等の手続きを行うことなく、気軽に遠隔操作処理を使用することが可能となっている。
【００７７】
以上、（１）〜（３）の３つの場合について、対応付け処理を説明したが、本実施形態では、特に、（２）、（３）で説明したように正規アカウントを取得していないユーザに対しても簡単に、自己の所持する携帯端末６を使用して、カラオケ装置２に対する遠隔操作処理を行うことが可能となっている。そのため、従来、アカウントを取得して使用することが一般的であった遠隔操作処理について、ユーザに対する導入の敷居を低くすることが可能となっている。
【００７８】
なお、本明細書では、詳細な説明を省略するが、携帯端末６でログインしたユーザは、同じ部屋にあるリモコン装置１を使用してログインして、カラオケ装置２に対する操作を行うことも可能である。図１６には、リモコン装置１を使用してカラオケ装置２を操作する場合の、コマンド情報の送信の様子が示されている（図１６のＡの丸）。リモコン装置１の操作により、入力されたコマンド（コマンドＢ）は、ユーザＩＤ（ユーザＡ）と一緒に、コマンド情報としてカラオケ装置２に送信される。コマンド情報を受信したカラオケ装置２（カラオケ装置Ａ）は、コマンド（コマンドＢ）に従って処理を実行する。カラオケシステム（リモコン装置１）に対するログインは、正規アカウントに限るものであって、ゲストアカウントでは使用できないように機能制限することが好ましい。
【００７９】
ゲストアカウントに対して各種制限を設けた場合、ゲストユーザは制限の付いた機能を利用したい要求が生じることが考えられる。本実施形態のカラオケ管理システムでは、ゲストユーザから正規ユーザへ移行できるアカウント種別変更処理を実行可能としている。アカウント種別を、ゲストユーザから正規ユーザへ変更したいユーザは、携帯端末６のメニューを選択する等して、アカウント登録画面を呼び出す。
【００８０】
図１７には、携帯端末６に表示されたアカウント登録画面が示されている。この例では、ユーザは既にゲストアカウントを取得している場合を想定している。このアカウント登録画面には、正規ユーザとして使用するユーザＩＤ（この場合、ユーザが使用しているメールアドレス）を入力するユーザＩＤ入力欄６０４と、パスワードを入力するパスワード入力欄６０５が表示されている。ユーザは、これら欄に自分が使用するユーザＩＤとパスワードを入力して、登録ボタン６０６を操作して登録を実行する。なお、正規ユーザとしての登録時には、これら情報以外に、図１２で説明した個人情報中の各種情報を登録することとしてもよい。
【００８１】
携帯端末６は、登録ボタン６０６が操作されると、サーバ装置５に対して、アカウント種別変更要求を送信する。このアカウント種別変更要求には、アカウント登録画面で入力されたユーザＩＤとパスワードからなる正規ユーザ情報の他、携帯端末６に記憶するゲストアカウント情報が含まれる。
【００８２】
図１８には、サーバ装置５で実行するアカウント種別変更処理を示すフロー図が示されている。サーバ装置５は、アカウント種別変更要求を受信した場合（Ｓ５０１：Ｙｅｓ）アカウント種別変更要求に含まれるゲストアカウント情報に基づいて、記憶部５１からゲストユーザ情報を抽出する（Ｓ５０２）。そして、抽出したゲストユーザ情報に基づいて正規ユーザ情報を形成する（Ｓ５０３）。その際、これまで使用していたゲストユーザ情報中の履歴テーブルは、新たに形成される正規ユーザ情報に引き継がれる。したがって、新たに正規アカウントを取得したユーザは、ゲストアカウントの際、使用していた履歴テーブルを使用して楽曲検索を行うことが可能である。そして、アカウント種別変更要求に含まれる正規アカウント情報（正規ユーザＩＤとパスワード）を、形成した正規ユーザ情報に対応付ける（Ｓ５０４）。完了したことを、アカウント種別変更要求を行った携帯端末６に完了通知を送信（Ｓ５０５）して処理を終了する。
【００８３】
なお、本実施形態では、ゲストユーザ情報をサーバ装置５で記憶管理する形態を説明したが、ゲストユーザ情報５の記憶管理は、携帯端末６の記憶部６３にて行うこととしてもよい。その場合、ゲストユーザとしてのログイン時に、サーバ装置５から携帯端末２に対するゲストユーザ情報の送信（図６のＳ４０９）は、行う必要が無い。ゲストユーザとしてログインした携帯端末６では、記憶部６３に記憶管理しているゲストユーザ情報を読み出して、遠隔操作処理を行うことが可能である。また、アカウント種別変更処理では、サーバ装置２には、携帯端末６からゲストユーザ情報を受信し、受信したゲストユーザ情報に基づいて正規ユーザ情報を形成する。形成された正規ユーザ情報は、その後、サーバ装置５で管理される。
【００８４】
アカウント種別変更処理の完了後、ユーザは、正規アカウント情報を使用してログインし、各種サービスを受けることが可能となる。このように本実施形態では、ゲストユーザから正規ユーザにアカウント種別を変更することが可能である。特に、特段、登録操作を行う事無くゲストユーザとして遠隔操作処理が可能であるため、ユーザに対する遠隔操作処理導入の敷居が低く設定されている。また、ゲストユーザから正規ユーザへのアカウント種別変更も可能としており、新たな正規ユーザ獲得の手段として利用することが可能となっている。なお、アカウント種別変更処理では、ユーザの名前、住所を登録するようにしてもよい。
【００８５】
本実施形態のカラオケ管理システムでは、判定情報をカラオケシステムで形成することとしているが、判定情報の形成は、サーバ装置５で行うこととしてもよい。その場合、サーバ装置５は、カラオケ装置２から受け取った認証情報要求に基づいて、認証情報要求に含まれるカラオケ装置ＩＤとサーバ装置５で生成した認証情報に基づいて判定情報を形成する。その際、サーバ装置５で形成される判定情報は２次元バーコード化（画像化）された状態であってもよい。また、携帯端末６で受信した判定情報は、携帯端末６においてカラオケ装置ＩＤ、認証情報を抽出（デコード）してログイン要求に含める形態、あるいは、判定情報のままログイン要求に使用する形態のどちらであってもよい。
【符号の説明】
【００８６】
１ａ、１ｂ…リモコン装置                   ５…サーバ装置
１１…タッチパネルモニタ                   ５１…記憶装置
１１ａ…表示部                             ６…携帯端末（携帯型情報処理装置）
１１ｂ…タッチパネル                       ６１…制御部
１２…ビデオＲＡＭ                         ６２…ＲＡＭ
１３…映像制御部                           ６３…記憶部
１４…メモリ                               ６４…画像制御部
１５…ＣＰＵ                               ６５Ｆ…フロントカメラ
１６…無線ＬＡＮ通信部                     ６５Ｒ…リアカメラ
１７…操作部                               ６６…音響処理部
１８…操作処理部                           ６７ａ…スピーカ
１９…赤外線通信部                         ６７ｂ…マイクロホン
２…カラオケ装置（コマンダ）               ６８…タッチパネル表示部
２１…操作部                               ６８ａ…タッチパネル
２２…操作処理部                           ６８ｂ…表示部
２３…赤外線通信部                         ６９…通信部
２４…ＬＡＮ通信部                         ７０…入力スイッチ
２５…音響制御部                           ７１…外部入力端子
２７…メモリ                               ４１…モニタ
２８…ビデオＲＡＭ                         ７２…外部メモリ接続端子
２９…映像再生部                           ８１…音響制御部
３０…制御部                               ８２…スピーカ
３１…映像制御部                           １００…ＬＡＮ
３２…ＨＤＤ（ハードディスク）             １１０…アクセスポイント
４２…スピーカ                             １２０…ルータ
４４ａ、４４ｂ…歌唱用マイク（マイクロホン）
【図１】
0006278403.tif 000002
【図２】
0006278403.tif 000003
【図３】
0006278403.tif 000004
【図４】
0006278403.tif 000005
【図５】
0006278403.tif 000006
【図６】
0006278403.tif 000007
【図７】
0006278403.tif 000008
【図８】
0006278403.tif 000009
【図９】
0006278403.tif 000010
【図１０】
0006278403.tif 000011
【図１１】
0006278403.tif 000012
【図１２】
0006278403.tif 000013
【図１３】
0006278403.tif 000014
【図１４】
0006278403.tif 000015
【図１５】
0006278403.tif 000016
【図１６】
0006278403.tif 000017
【図１７】
0006278403.tif 000018
【図１８】
0006278403.tif 000019